(57)【要約】【課題】平板状の食品を載置面に対して起立するように収容することができる、プラスチック製の包装用容器を提供する。【解決手段】高さに比べて縦及び横方向の寸法が大きく形成された平板状の食品を立てた姿勢で単体で収容するプラスチック製の包装用容器１であって、立てた姿勢の食品の下側を収容する容器本体と、容器本体から外に現れる立てた姿勢の食品の上側を覆う蓋体と、を備え、さらに容器本体が食品を入れる収容部の口が上方で開くよう収容部を立たせる起立部を備えており、容器本体をコーヒーメーカー６０の横のカウンター７０や商品棚等の載置面に立たせることができる。【選択図】図１０
0003215659.tif 000002
【実用新案登録請求の範囲】
【請求項１】
高さに比べて縦及び横方向の寸法が大きく形成された平板状の食品を、上記食品の縦方向が載置面に垂直な方向に沿う姿勢（以下、立てた姿勢と呼ぶ。）で単体で収容するプラスチック製の包装用容器であって、
立てた姿勢の上記食品の下側を収容する容器本体と、
上記容器本体から外に現れる立てた姿勢の上記食品の上側を覆う蓋体と、を備え、
上記容器本体は、上方に開いた口を備えて上記食品を入れる収容部と、上記口が上方で開くよう上記収容部を上記載置面に立たせる起立部と、を備えている、プラスチック製の包装用容器。
【請求項２】
上記起立部は、上記口の周縁から上記載置面まで上記収容部の外側で筒状に延長して形成されていて下端が上記載置面に当たる脚部を備えている、請求項１に記載のプラスチック製の包装用容器。
【請求項３】
上記起立部は、上記収容部に形成されていて、上記載置面に載る平坦部を備えている、請求項１又は請求項２に記載のプラスチック製の包装用容器。
【請求項４】
上記脚部は、上記口寄りの上端側から上記載置面に当たる下端側へ低くなるに従って上記収容部から外側へ離れるように傾斜している、請求項２に記載のプラスチック製の包装用容器。
【請求項５】
上記収容部は対向する一対の容器側部を備え、
一方の上記容器側部と上記脚部との間と、他方の上記容器側部と上記脚部との間とが、それぞれ指を入れるスペースとして構成されている、請求項２又は請求項４に記載のプラスチック製の包装用容器。
【請求項６】
上記容器本体の厚さは０．０５ｍｍ〜１ｍｍである、請求項１〜請求項５の何れかに記載のプラスチック製の包装用容器。
【請求項７】
上記容器本体と上記蓋体とは耐油性を備えている、請求項１〜請求項６の何れかに記載のプラスチック製の包装用容器。
【請求項８】
容器本体と、上記容器本体に被さる蓋体と、を備え、
上記容器本体を下に配置し上記容器本体の上に上記蓋体を配置して載置面に置かれた使用状態で、上記容器本体と上記蓋体とで構成されるスペースに、高さに比べて縦及び横方向の寸法が大きく形成された平板状の食品を立てた姿勢で単体で収容するプラスチック製の包装用容器であって、
上記容器本体は、上方に開いた口（以下、第一開口と呼ぶ。）と、上記第一開口の下方に設けられた底部と、上記第一開口から上記底部までのスペースを囲う容器側部と、を備え、
上記第一開口は縦の寸法が横の寸法及び上記食品の縦と横の寸法より短い横長に形成され、上記第一開口から上記底部までの深さが上記食品の縦の寸法より短く形成されて、上記容器本体は立てた姿勢の食品の下側を収容し、
上記蓋体は、下方に開いた口（以下、第二開口と呼ぶ。）と、上記第二開口の上方を塞いだ閉塞部と、上記第二開口から上記閉塞部までのスペースを囲う蓋側部と、を備え、
上記第二開口は、縦の寸法が横の寸法及び上記食品の縦と横の寸法より短い横長に形成され、上記第二開口から上記閉塞部までの高さが上記食品の縦の寸法より短く形成されて、上記蓋体は上記第一開口から外に現れる、立てた姿勢の食品の上側を覆い、
上記底部は上記第一開口より小さく形成され、
上記容器本体に形成されていて、上記第一開口が上記底部の上方で開くように上記容器本体を上記載置面に立たせる起立部を備えていることを特徴とする、プラスチック製の包装用容器。
【考案の詳細な説明】
【技術分野】
【０００１】
本考案は、平板状の食品を収容するプラスチック製の包装用容器に関する。
【背景技術】
【０００２】
コンビニエンスストアやスーパーマーケットといった小売店において、ドーナツやパンは個々に包装されて販売されている。例えば、ドーナツは包装袋に入れられて商品棚に並べられている。
【０００３】
ドーナツの包装として、プラスチック製の包装用容器が特許文献１に開示されている。包装用容器はリング型のドーナツを１個収容することができる。包装用容器は、ドーナツの平たい面を底に当てて収容する容器本体と、容器本体の上部で開いた開口を塞ぐ蓋と、を備えている。
【先行技術文献】
【特許文献】
【０００４】
【特許文献１】実開平７−８８９号公報
【考案の概要】
【考案が解決しようとする課題】
【０００５】
ドーナツを商品棚やレジ横のカウンターなどの載置面に立てて並べることができればドーナツの商品性をより一層消費者にアピールすることができるが、特許文献１の包装用容器は、ドーナツと同様に、平たい面を下にして載置面に置くように構成されているため、ドーナツの可愛さをアピールできない。
【０００６】
包装袋で収容したドーナツは他の隣接するドーナツに背面を当てて立て掛けることができるが、ドーナツ単体で立たせて消費者に見せることができない。これでは、レジ横のカウンターなどで整列して並べられず、消費者の購買意欲をそそることができない。
【０００７】
従来の包装用容器では、購入した消費者は、ドーナツ全体を包装用容器から出さないと食べることができない。さらに、消費者は食後に砂糖などが付いた手を拭かなければならない。
【０００８】
このような問題は、ドーナツに限らず、直接手で掴んで食べるベーグル、パン等の他の平板状の食品においても同様である。
【０００９】
本考案は、平板状の食品を載置面に対して起立するように収容することができ、さらに食品を部分的に収容した状態で掴むことができる、プラスチック製の包装用容器を提供することを目的とする。
【課題を解決するための手段】
【００１０】
本考案のプラスチック製の包装用容器は、高さに比べて縦及び横方向の寸法が大きく形成された平板状の食品を、上記食品の縦方向が上記載置面に垂直な方向に沿う姿勢（以下、立てた姿勢と呼ぶ。）で単体で収容するプラスチック製の包装用容器であって、立てた姿勢の上記食品の下側を収容する容器本体と、上記容器本体から外に現れる立てた姿勢の上記食品の上側を覆う蓋体と、を備え、上記容器本体は、上方に開いた口を備えて上記食品を入れる収容部と、上記口が上方で開くよう上記収容部を上記載置面に立たせる起立部と、を備えている。
【００１１】
上記起立部は、好ましくは、上記口の周縁から上記載置面まで上記収容部の外側で筒状に延長して形成されていて下端が上記載置面に当たる脚部と、上記収容部に形成されていて上記載置面に載る平坦部とを備えている。
【００１２】
上記脚部は、上記口寄りの上端側から上記載置面に当たる下端側へ低くなるに従って上記収容部から外側へ離れるように傾斜している。本考案の包装用容器は、好ましくは、上記収容部が対向する一対の容器側部を備え、一方の上記容器側部と上記脚部との間と、他方の上記容器側部と上記脚部との間とが、それぞれ指を入れるスペースとして構成されている。
【００１３】
本考案のプラスチック製の包装用容器は、容器本体と、上記容器本体に被さる蓋体と、を備え、上記容器本体を下に配置し上記容器本体の上に上記蓋体を配置して載置面に置かれた使用状態で、上記容器本体と上記蓋体とで構成されるスペースに、高さに比べて縦及び横方向の寸法が大きく形成された平板状の食品を立てた姿勢で単体で収容するプラスチック製の包装用容器であって、上記容器本体は、上方に開いた口（以下、第一開口と呼ぶ。）と、上記第一開口の下方に設けられた底部と、上記第一開口から上記底部までのスペースを囲う容器側部と、を備え、上記蓋体は、下方に開いた口（以下、第二開口と呼ぶ。）と、上記第二開口の上方を塞いだ閉塞部と、上記第二開口から上記閉塞部までのスペースを囲う蓋側部と、を備えている。上記第一開口は縦の寸法が横の寸法及び上記食品の縦と横の寸法より短い横長に形成され、上記第一開口から上記底部までの深さが上記食品の縦の寸法より短く形成されて、上記容器本体は立てた姿勢の食品の下側を収容する。上記第二開口は、縦の寸法が横の寸法及び上記食品の縦と横の寸法より短い横長に形成され、上記第二開口から上記閉塞部までの高さが上記食品の縦の寸法より短く形成されて、上記蓋体は上記第一開口から外に現れる、立てた姿勢の食品の上側を覆う。上記底部は、上記第一開口より小さく形成されている。上記包装用容器は、上記容器本体に形成されていて、上記第一開口が上記底部の上方で開くように上記容器本体を上記載置面に立たせる起立部を備えている。
【考案の効果】
【００１４】
本考案の包装用容器は、小売店のレジやコーヒーメーカーの横のカウンターや商品棚等の載置面で立ち上がった姿勢を維持することができ、さらに平板状の食品を立てた姿勢で収容できる。蓋体を容器本体から外すと食品の上側が現れ、食品の下側が容器本体で覆われているので、容器本体を食品ごと掴むことができる。よって、食品の油や砂糖等が手に付着することを防止できる。
【図面の簡単な説明】
【００１５】
【図１】本考案の実施形態のプラスチック製の包装用容器の斜視図である。
【図２】本考案の実施形態のプラスチック製の包装用容器の正面図である。
【図３】本考案の実施形態のプラスチック製の包装用容器の左側面図である。
【図４】本考案の実施形態のプラスチック製の包装用容器の平面図である。
【図５】本考案の実施形態のプラスチック製の包装用容器の底面図である。
【図６】図２のＡ−Ａ線に沿ったプラスチック製の包装用容器の端面図である。
【図７】図３のＢ−Ｂ線に沿ったプラスチック製の包装用容器の端面図である。
【図８】（Ａ）は本考案の実施形態のプラスチック製の容器本体の正面図、（Ｂ）は容器本体の左側面図、（Ｃ）は容器本体の平面図、（Ｄ）は（Ａ）の二点鎖線の円Ｃで囲われた部分の拡大図である。
【図９】（Ａ）は本考案の実施形態のプラスチック製の蓋体の正面図、（Ｂ）は蓋体の左側面図、（Ｃ）は蓋体の底面図である。
【図１０】本考案の実施形態のプラスチック製の包装用容器の使用状態を示す図である。
【図１１】本考案の実施形態の第一変形例のプラスチック製の包装用容器を示す図である。
【図１２】本考案の実施形態の第二変形例のプラスチック製の包装用容器を示す図である。
【図１３】本考案の実施形態の第三変形例のプラスチック製の包装用容器を示す図である。
【図１４】（Ａ）は本考案の実施形態の第四変形例のプラスチック製の包装用容器の正面図、（Ｂ）は左側面図である。
【考案を実施するための形態】
【００１６】
図１が包装用容器１の斜視図、図２が包装用容器１の正面図、図３が包装用容器１の左側面図、図４が包装用容器１の平面図、図５が包装用容器１の底面図である。図６は図２のＡ−Ａ線に沿った包装用容器１の端面図、図７は図３のＢ−Ｂ線に沿った包装用容器１の端面図である。図中の矢印Ｌが包装用容器１の前後へ向いた縦の方向、矢印Ｗが包装用容器１の左右へ向いた横の方向、矢印Ｈが包装用容器１の上下へ向いた高さの方向とする。包装用容器１はドーナツを単体で収容した状態で、棚、カウンター等の載置面で立ち上がるように置くことができる。なお、右側面図は左側面図と対称に表れるため省略する。
【００１７】
本実施形態の包装用容器１で収容するドーナツは、平板状に形成されていて、例えばドーナツをそのまま載置面に置いた状態で高さの寸法が縦と横の方向の寸法より短く製造されており、載置面の上方からドーナツを眺めた場合（平面視）にドーナツが最も大きな形を有する。平面視したときの縦横の方向に広がるドーナツの面を正面（以下、ドーナツ正面と呼ぶ。）、反対側をドーナツの背面（以下、ドーナツ背面と呼ぶ。）とする。例えば、リング型のドーナツの場合、形状が環状に視認される一方の側がドーナツ正面、反対側がドーナツ背面となる。
【００１８】
包装用容器１は、ドーナツ正面が包装用容器１の前方を向くように、ドーナツを立てて収容する。包装用容器１は、容器本体２と、容器本体２の上に被さる蓋体５と、を備えている。容器本体２は立てた姿勢のドーナツの下側（以下、ドーナツ下側と呼ぶ。）を収容し、蓋体５が立てた姿勢のドーナツの上側（以下、ドーナツ上側と呼ぶ。）に被さる。
【００１９】
図１、図６及び図７では、一点鎖線でドーナツを表している。図中の破線の矢印で、Ｌ２がドーナツの縦の方向、Ｗ２がドーナツの横の方向、Ｈ２がドーナツの高さの方向である。包装用容器１の縦方向Ｌはドーナツの高さ（厚み）の方向Ｈ２に対応しており、包装用容器１の横方向Ｗはドーナツの横方向Ｗ２に対応し、包装用容器１の高さの方向Ｈがドーナツの縦の方向Ｌ２に対応する。また、図６と図７は、包装用容器１が二点鎖線で示す載置面で立ち上がっている状態を表している。
【００２０】
以下、図２から図７に示す容器本体２と蓋体５との姿勢を前提に、容器本体２、蓋体５、これらが一体に合わさって構成される包装用容器１の縦、横、前、後、左、右、上、下を説明で用いる。
【００２１】
図８（Ａ）は容器本体２の正面図、図８（Ｂ）は容器本体２の左側面図、図８（Ｃ）は容器本体２の平面図である。容器本体２は、立てた姿勢のドーナツの下側を収容する第一収容部１０と、第一収容部１０を囲うように設けられた脚部２０と、を備えている。
【００２２】
第一収容部１０は、ドーナツ下側を象った形に構成されている（図７）。第一収容部１０は、図８（Ｃ）に示すように、上方に開いた口（第一開口１０Ａ）と、第一開口１０Ａの下方に設けられた底部１１０と、第一開口１０Ａから底部１１０までのスペースを囲う容器側部１２０と、第一開口１０Ａのまわりに形成され容器上端部１３０と、から構成されている。
【００２３】
底部１１０は、全体的に平坦で、横長の矩形に形成されていてもよい。底部１１０の平坦部１１１が容器本体２を載置面に立たせる第一起立部として機能する。中央の楕円状の領域が平坦部１１１として平らに形成されており、その周りが少し傾きを備えている。
【００２４】
容器側部１２０は、底部１１０の前側と後側の縁から連続して形成されていて対向する一対の第一容器側部と、一方の第一容器側部と他方の第一容器側部との間をつなぎ底部１１０の左側と右側の縁と連続して形成されていて対向する一対の第二容器側部と、を備えている。
【００２５】
一方の第一容器側部（以下、容器前部１２１と呼ぶ。）は立てた姿勢のドーナツの前側に配置され、他方の第一容器側部（以下、容器後部１２２と呼ぶ。）は立てた姿勢のドーナツの後側に配置される。容器前部１２１と容器後部１２２とは、ドーナツの高さの寸法に比べて少し広い間隔で対向している。
【００２６】
容器前部１２１は、ドーナツ正面の半分の領域を覆うように半円に形成され、さらに立てた姿勢のドーナツの下側に対向するように載置面に対して垂直状に立ち上っている。容器前部１２１は、上端が半円の直径部分で構成され円弧が直径部分の下方に配置されている。半円の径はドーナツの径より少し大きめに設定されている。
【００２７】
容器後部１２２は、容器前部１２１と同様に半円に形成されて、ドーナツ背面側に配置されてドーナツ下側に対向する。
【００２８】
一方の第二容器側部（以下、容器左部１２３と呼ぶ。）はドーナツ下側の左方に配置される。容器左部１２３は、容器前部１２１の左縁と容器後部１２２の左縁とをつなぐように配置されて、容器前部１２１と容器後部１２２の輪郭に沿って底部１１０の左側の縁から左上へ向けて湾曲している。
【００２９】
他方の第二容器側部（以下、容器右部１２４と呼ぶ。）はドーナツ下側の右方に配置される。容器右部１２４は、容器左部１２３と対向するように配置されており、さらに容器前部１２１の右縁と容器後部１２２の右縁とをつなぐように設けられて、容器前部１２１と容器後部１２２の輪郭に沿って底部１１０の右側の縁から右上へ向けて湾曲している。
【００３０】
容器左部１２３と容器右部１２４と底部１１０とは、ドーナツ下側の半円の輪郭に沿って連なるように配置されている。
【００３１】
一対の第一容器側部と一対の第二容器側部が底部１１０の周縁から立ち上がって、第一容器側部と第二容器側部の上端がそれぞれ高さを揃えて配置され、さらに矩形状に連なって、第一開口１０Ａが形成される。第一開口１０Ａは底部１１０の上方に配置される。
【００３２】
第一開口１０Ａの縦方向Ｌはドーナツの高さ方向Ｈ２に対応し、第一開口１０Ａの横方向Ｗはドーナツの横方向Ｗ２に対応している。例えば、第一開口１０Ａは、ドーナツを少し動かせる隙間を備える程度の大きさに設定されている。
【００３３】
本実施形態では、第一開口１０Ａは、縦の寸法が第一開口１０Ａの横の寸法とドーナツの縦と横の寸法とに比べて短く、さらに縦の寸法はドーナツの高さの寸法より若干大きめに設定されていて、横長に形成されている。第一開口１０Ａの横の寸法は、ドーナツの横の寸法を数ｍｍ程度、若干大きくした程度に設定されている。底部１１０は、第一開口１０Ａに比べて小さく形成されている。底部１１０は、縦がドーナツの高さの寸法に比べて短く、横がドーナツの横の寸法に比べて短く設定されている。
【００３４】
一対の第一容器側部と一対の第二容器側部と底部１１０とは接続部分を湾曲させて、一体に形成されている。
【００３５】
容器上端部１３０は、第一開口１０Ａを形成する容器側部１２０の上端の全体から外側に延長して形成されている。容器上端部１３０の幅は数ｍｍ程度に選定されている。容器上端部１３０の外周縁は横長の矩形状で、長辺部と短辺部とがつながる角部を丸めて形成されている。
【００３６】
脚部２０は、容器本体２を載置面に立たせる第二起立部として機能する。脚部２０は、第一収容部１０のまわりに配置される一対の第一脚部と一対の第二脚部とを備えている。一方の第一脚部（以下、前脚部２１１と呼ぶ。）は第一収容部１０の前方に配置され、他方の第一脚部（以下、後脚部２１２と呼ぶ。）は第一収容部１０の後方に配置され、一方の第二脚部（以下、左脚部２１３と呼ぶ。）は第一収容部１０の左方に配置され、他方の第二脚部（以下、右脚部２１４と呼ぶ。）は第一収容部１０の右方に配置されている。
【００３７】
前脚部２１１は、容器上端部１３０の周縁の内、前側の長辺部の全体を下方へ延長させて形成されている。前脚部２１１の高さは第一開口１０Ａから底部１１０までの深さに相応する。前脚部２１１の下端は第一開口１０Ａの横の方向と平行に配置され、さらに前脚部２１１の下端は容器上端部１３０の周縁の長辺部よりも幅が広く形成されている。前脚部２１１は第一収容部１０の容器前部１２１を覆う。
【００３８】
後脚部２１２は、前脚部２１１と同じ形状を有し、容器上端部１３０の周縁の内、後側の長辺部の全体を下方へ延長させて形成されている。後脚部２１２は第一収容部１０の容器後部１２２を覆う。
【００３９】
前脚部２１１と後脚部２１２とは第一収容部１０を間に配置して対向しており、前脚部２１１と後脚部２１２とは第一開口寄りの上端側から載置面に当たる下端側へ低くなるにつれて互いの間隔が広がるように傾斜して、下端側が開口側に比べて外側にずれて配置されている。前脚部２１１と後脚部２１２とは、容器本体２を左右の側面から見た場合、図６に示すようにハの字型に配置される。
【００４０】
左脚部２１３は、容器上端部１３０の周縁の内、左側の短辺部の全体を下方へ延長させて形成さている。左脚部２１３の高さは、第一脚部と同様に、第一開口１０Ａから底部１１０までの深さに相応する。左脚部２１３の下端は第一開口１０Ａの縦の方向に沿って形成され、さらに左脚部２１３の下端は容器上端部１３０の周縁の短辺部よりも幅が広く形成されている。左脚部２１３は第一収容部１０の容器左部１２３を覆う。
【００４１】
右脚部２１４は、左脚部２１３と同じ形状を有し、容器上端部１３０の周縁の内、右側の短辺部の全体を下方へ延長させて形成さている。右脚部２１４は第一収容部１０の容器右部１２４を覆う。
【００４２】
左脚部２１３と右脚部２１４とは、第一脚部と同様に、第一収容部１０を間に配置して対向しており、左脚部２１３と右脚部２１４とは、容器本体２を前方又は後方から見た場合に図７に示すようにハの字型に配置される。
【００４３】
一対の第一脚部が前後に並べて設けられ、一対の第二脚部が一対の第一脚部の端をつなぐように左右に並べて設けられて、脚部２０は筒状に形成される。脚部２０は第一収容部１０を囲うように第一収容部１０の外側に配置される。
【００４４】
脚部２０の下端は、第一収容部１０の底部１１０の周囲に配置される。脚部２０の下端は、底部１１０と共に載置面に当たるように、容器本体２の上下の方向で底部１１０と位置を合わせて形成されている。図８（Ｄ）は図８（Ａ）の二点鎖線の円Ｃで囲われた部分の拡大図であり、脚部２０は先端を折り曲げて外側へ延長した突出部２１１Ａを備えている。突出部２１１Ａの幅Ｄは、特に制限はないが、例えば０．５ｍｍ以上に設定されていればよく、０．７ｍｍ以上、１．０ｍｍ以上であってもよい。こうした突出部によれば、容器本体２は確実に載置面に立つことができる。
【００４５】
第一収容部１０と脚部２０とは一体に形成されている。容器本体２の材質は、所望の形状、厚みに成型できれば特に制限はないが、ポリスチレン樹脂にゴム質の樹脂を共重合して材質自体に粘りをつけた耐衝撃性ポリスチレン樹脂（ＨＩＰＳ）や、ポリエチレンテレフタレート（ＰＥＴ）、ポリプロピレン（ＰＰ）といった熱可塑性樹脂などの樹脂材で構成されたシートを熱で成型して製造することができる。容器本体２の厚みは、食品を部分的に収容した状態で掴むことができれば特に制限はないが、例えば０．０５〜１ｍｍであればよく、好ましくは０．１〜０．６ｍｍ、さらに好ましくは０．１〜０．３ｍｍであってもよい。容器本体２は透明に限らず不透明に構成されてもよい。
【００４６】
容器本体２は、ドーナツの油成分に対応するよう耐油性を備えている。こうした耐油性は、容器本体２の表面がポリプロピレン（ＰＰ）などのポリオレフィン系樹脂や、ポリエチレンテレフタレート（ＰＥＴ）などのポリエステル系樹脂といった耐油性樹脂で構成されることで付与できる。具体的には、耐油性に乏しい耐衝撃性ポリスチレン樹脂（ＨＩＰＳ）であれば、ポリプロピレン（ＰＰ）などのポリオレフィン系樹脂や、ポリエチレンテレフタレート（ＰＥＴ）などのポリエステル系樹脂といった耐油性樹脂等のコーティング処理を施して構成されていればよい。すなわち、容器本体２は、耐衝撃性ポリスチレン樹脂（ＨＩＰＳ）シートと、ポリプロピレン（ＰＰ）などのポリオレフィン系樹脂や、ポリエチレンテレフタレート（ＰＥＴ）などのポリエステル系樹脂といった耐油性樹脂製シートとの積層シートを成型してもよい。
【００４７】
蓋体５は、容器本体２に取り付けられて使用される。蓋体５は、容器本体２にドーナツ下側を入れた状態で容器本体２の第一開口１０Ａから外に現れるドーナツ上側に被さり、容器本体２と共にドーナツを収容する。蓋体５は、ドーナツ上側を収容するように、ドーナツ上側を象った形に構成されている。
【００４８】
図９（Ａ）は蓋体５の正面図、図９（Ｂ）は蓋体５の左側面図、図９（Ｃ）は蓋体５の底面図である。蓋体５は、ドーナツ上側を収容する第二収容部３０と、蓋体５を容器本体２に着脱自在に取り付ける取付部４０と、を備えている。
【００４９】
第二収容部３０は、下方からドーナツ上側を入れるための口（以下、第二開口３０Ａと呼ぶ。）と、第二開口３０Ａの上方を塞ぐ閉塞部３１０と、第二開口３０Ａから閉塞部３１０までのスペースを囲う蓋側部３２０と、第二開口３０Ａのまわりに形成された蓋下端部３３０と、蓋下端部３３０から延長した折曲部３４０と、を備えている。第二開口３０Ａは、第一開口１０Ａと同様に横長に形成されており、容器本体２の容器上端部１３０の外周縁と略同一の形に構成されている。
【００５０】
本実施形態では図に示す斜線の領域を閉塞部３１０と呼ぶ。閉塞部３１０は、蓋体５の縦方向Ｌに寸法を短く、蓋体５の横方向Ｗに寸法を長くした横長の領域で、曲面に形成されている。なお、閉塞部３１０は底部１１０と同じように平坦に形成されてもよい。
【００５１】
閉塞部３１０は、立てた姿勢のドーナツの上方に配置される。閉塞部３１０はドーナツ上側の上方で、ドーナツの一部を覆う。
【００５２】
蓋側部３２０は、閉塞部３１０の前側と後側の境界部分から連続して形成されていて対向する一対の第一蓋側部と、一方の第一蓋側部と他方の第一蓋側部との間をつなぎ閉塞部３１０の左側と右側の境界部分から連続して形成された一対の第二蓋側部とを備えている。
【００５３】
前側の第一蓋側部（以下、蓋前部３２１と呼ぶ。）は、ドーナツ正面の半分の領域を覆うように半円に形成され、さらに立てた姿勢のドーナツの上側に対向するように形成されている。蓋前部３２１は、半円の直径部分を下にして円弧が上方へ膨らむように配置されている。半円の径はドーナツの径より少し大きめに設定されている。
【００５４】
後側の第一蓋側部（以下、蓋後部３２２と呼ぶ。）は、蓋前部３２１と同様に、半円に形成されて、ドーナツ背面に対向する。蓋後部３２２は、蓋前部３２１と所定の距離を置いて平行に設けられている。
【００５５】
第二蓋側部は、立てた姿勢のドーナツの上側で、左方に配置される第二蓋側部（以下、蓋左部３２３と呼ぶ。）と、右方に配置される第二蓋側部（以下、蓋右部３２４と呼ぶ。）と、を備えている。
【００５６】
蓋左部３２３は蓋前部３２１の左縁と蓋後部３２２の左縁とをつなぐように配置されて、蓋前部３２１と蓋後部３２２の輪郭に沿って閉塞部３１０の左側の境界部分から左下へ向けて湾曲している。
【００５７】
蓋右部３２４は、蓋前部３２１の右縁と蓋後部３２２の右縁とをつなぐように配置されて、蓋前部３２１と蓋後部３２２の輪郭に沿って閉塞部３１０の右側の境界部分から右下へ向けて湾曲している。
【００５８】
蓋左部３２３と蓋右部３２４と閉塞部３１０とは、ドーナツ上側の半円の輪郭に沿って連なるように配置されている。
【００５９】
一対の第一蓋側部と一対の第二蓋側部の下端がそれぞれ高さを揃えて配置され、さらに矩形状に連なって第二開口３０Ａが形成される。
【００６０】
第二開口３０Ａの縦方向Ｌはドーナツの高さ方向Ｈ２に対応し、第二開口３０Ａは第一開口１０Ａと同様に横長に形成され、さらに大きさが第一開口１０Ａを少し大きくした寸法に設定されている。
【００６１】
一対の第一蓋側部と一対の第二蓋側部と閉塞部３１０とは、接続部分を湾曲させて、一体に形成されている。
【００６２】
取付部４０は、蓋側部３２０の下部に設けられている。本実施形態では、取付部４０として、蓋側部３２０の下端寄りの内面が、容器本体２の第一開口１０Ａまわりの外周面に合わさるように構成されている。容器本体２の容器上端部１３０を蓋体５の第二開口３０Ａに入れて、容器上端部１３０と脚部２０とで構成される角部分が蓋側部３２０の内面に嵌り、蓋体５が容器本体２に取り付けられる。
【００６３】
蓋体５を容器本体２へ取り付ける構成は、上記のように蓋体５を容器本体２の外周面に嵌める外嵌合に代えて、蓋体５を容器本体２の内周面に嵌める内嵌合、又は蓋体５を容器の外周面と内周面との両方に嵌める内外嵌合を用いてもよい。
【００６４】
蓋下端部３３０と折曲部３４０とは、蓋側部３２０の下部のまわりに設けられている。蓋下端部３３０は蓋側部３２０の下端から外側へ延長し第二開口３０Ａまわりに１〜２ｍｍ程度の幅で形成されている。折曲部３４０は蓋下端部３３０の周縁から上方へ延長して形成されている。
【００６５】
第二収容部３０と取付部４０とは一体に形成されている。蓋体５の材質は、所望の形状、厚みに成型できれば特に制限はないが、ポリスチレン樹脂にゴム質の樹脂を共重合して材質自体に粘りをつけた耐衝撃性ポリスチレン樹脂（ＨＩＰＳ）や、ポリエチレンテレフタレート（ＰＥＴ）、ポリプロピレン（ＰＰ）といった熱可塑性樹脂などの樹脂材で構成されたシートを熱で成型して製造することができる。蓋体５の厚みは、容器本体２に比べて厚くしてもよく、特に制限はないが、例えば０．０５〜１ｍｍであってもよく、０．１〜０．６ｍｍ、０．１〜０．３ｍｍであってもよい。蓋体５は透明に限らず、不透明に構成されてもよい。
【００６６】
蓋体５は、容器本体２と同様に、表面にラミネート等のコーティングを施して耐油性を備えている。こうした耐油性は、蓋体５の表面がポリプロピレン（ＰＰ）などのポリオレフィン系樹脂や、ポリエチレンテレフタレート（ＰＥＴ）などのポリエステル系樹脂といった耐油性樹脂で構成されることで付与できる。具体的には、耐油性に乏しい耐衝撃性ポリスチレン樹脂（ＨＩＰＳ）であれば、ポリプロピレン（ＰＰ）などのポリオレフィン系樹脂や、ポリエチレンテレフタレート（ＰＥＴ）などのポリエステル系樹脂といった耐油性樹脂等のコーティング処理を施して構成されていればよい。すなわち、容器本体２は、耐衝撃性ポリスチレン樹脂（ＨＩＰＳ）シートと、ポリプロピレン（ＰＰ）などのポリオレフィン系樹脂や、ポリエチレンテレフタレート（ＰＥＴ）などのポリエステル系樹脂といった耐油性樹脂製シートとの積層シートを成型してもよい。
【００６７】
本実施形態は、蓋体５が容器本体２からの離脱を規制するロック部を備えている。ロック部は、容器本体２の第一開口周りで、脚部２０の上端側に形成された凹部２５（図８）と、蓋体５の第二開口周りで、蓋側部３２０の内面を内側へ突出させて形成されていて凹部２５に入る凸部３５（図９）と、を備えている。容器本体２に蓋体５を取り付けた状態では、凹部２５が凸部３５の移動を妨げる。
【００６８】
包装用容器１の使用方法について説明する。
蓋体５の内面を容器本体２の外周面に合わせて容器本体２と蓋体５を一体にすることで、内部にドーナツを単体で収容するスペースが構成される。包装用容器１は、ドーナツを容器本体２に第一開口１０Ａから入れ、容器本体２の第一開口１０Ａから外に現れているドーナツに蓋体５を被せて、ドーナツを収容する。
【００６９】
包装用容器１は、ドーナツを収容し更に容器本体２を下に蓋体５を上にした使用状態で、容器本体２の底部１１０の平坦部１１１が第一起立部として載置面に載ると共に、脚部２０が第二起立部として平坦部１１１の周りで載置面に下端を当てることで、起立する。図８（Ｄ）に示す脚部２０の突出部２１１Ａが、外側へ突出して載置面に当たることで、包装用容器１は立ち上がった状態を維持できる。
【００７０】
包装用容器１が載置面に起立した状態で、容器本体２の容器前部１２１と蓋体５の蓋前部３２１とが上下に並んで配置されて、ドーナツ正面に対向する。容器本体２の容器後部１２２と蓋体５の蓋後部３２２とが上下に並んで配置されて、ドーナツ背面に対向する。また、容器本体２の容器左部１２３と蓋体５の蓋左部３２３とが上下に配置され、容器本体２の容器右部１２４と蓋体５の蓋右部３２４とが上下に配置され、容器本体２の底部１１０と蓋体５の閉塞部３１０とが上下に配置され、さらに容器本体２の左右の第二容器側部と底部１１０と、蓋体５の左右の第二蓋側部と閉塞部３１０とが、ドーナツの外側の円形の輪郭に沿って配置される。
【００７１】
包装用容器１は、容器本体２の第一収容部１０と蓋体５の第二収容部３０とが協同して、立てた姿勢のドーナツの外形を少し大きめにした空間を構成して、ドーナツを収容する。容器本体２にはドーナツの下部が収容され、蓋体５にはドーナツの上部が収容される。
【００７２】
包装用容器１が載置面に起立した状態で、ドーナツ正面やドーナツ背面を容器の内面、例えば前側の蓋前部３２１や後側の蓋後部３２２に当ててドーナツを立て掛けることで、ドーナツを安定して立たせて収容する。
【００７３】
容器本体２は、蓋体５が取り付けられていない状態でも、第一開口１０Ａが底部１１０の上方で開くように立つことができる。載置面から立ち上がった容器本体２は、ドーナツを立てた姿勢で収容する。例えばドーナツを容器後部１２２に立て掛けることができる。
【００７４】
従来の包装袋や包装用容器１では平板状のドーナツを単体で立てた姿勢で収容することができなかったが、本実施形態の包装用容器１はドーナツを単体で立てた姿勢で載置面に陳列することができる。また、ドーナツ正面などを載置面に平行な寝かせた姿勢で収容する容器に比べて、場所をとらず多数並べて販売することができる。
【００７５】
さらに、本実施形態の容器本体２と蓋体５の一方を透明材料で構成した場合には、消費者が、コンビニエンスストアやスーパーマーケットなどの小売店の商品棚に陳列された包装用容器１の中で立っているドーナツを見ることができるので、一層、消費者にドーナツの可愛さなどの印象を与えることができる。例えば、図１０に示すようにコーヒーメーカー６０の横のカウンター７０に、包装用容器１を使用してコーヒーと相性の良いドーナツを見やすく立たせて並べることで、購買意欲を向上させることが期待できる。
【００７６】
本実施形態では、容器本体２が底部１１０の平坦部１１１のまわりに脚部２０の下端を配置するので、包装用容器１は載置面に安定して起立できる。
【００７７】
さらに、包装用容器１は、ドーナツを単体で収容できるよう、ドーナツを象った形に構成されている。包装用容器１は、包装用容器１に収容したドーナツを食する際、蓋を外して、容器本体２と共にドーナツを掴むことができる。直にドーナツに触れることがないので、手に砂糖などが付着することが低減される。
【００７８】
また、容器本体２は薄く形成されており、容器本体２が変形し易いので、容器本体２とドーナツと一緒に掴むことができる。
【００７９】
また、ドーナツを掴む際、容器本体２の容器前部１２１とこれに対向する前脚部２１１との間の第一スペースＳ１（図６参照）と、容器後部１２２とこれに対向する後脚部２１２との間の第二スペースＳ２（図６参照）とに指を入れることができる。第一収容部１０を変形させて、第一収容部１０とその中のドーナツとを一緒に掴むことができ、さらに手が脚部２０で覆われるため、砂糖などの付着を一層低減できる。
【００８０】
（第一変形例）
図１１は第一変形例の包装用容器１Ａを示す。一点鎖線は容器本体２の第一収容部１０を表し、二点鎖線は載置面を表している。また、蓋体５は図３のＢ−Ｂ線に沿った端面の形状で表している。
【００８１】
包装用容器１Ａは、第一実施形態の包装用容器１と異なり、起立部が脚部２０だけで構成されている。脚部２０の高さの寸法が第一開口１０Ａから底部１１０までの深さよりも大きく設定されている。包装用容器１Ａは、底部１１０を載置面から離した状態で、載置面で起立することができる。
【００８２】
（第二変形例）
図１２は第二変形例の包装用容器１Ｂを示す。一点鎖線は容器本体２の第一収容部１０を部分的に表し、二点鎖線は載置面を表している。また、蓋体５は図３のＢ−Ｂ線に沿った端面の形状で表している。
【００８３】
包装用容器１Ｂは、第一実施形態の包装用容器１と異なり、起立部が底部１１０だけで構成されている。脚部２０の高さの寸法が第一開口１０Ａから底部１１０までの深さよりも小さく設定されている。包装用容器１Ｂは、底部１１０が載置面に当たり、脚部２０が浮いた状態で載置面から立ち上がっている。
【００８４】
例えば、脚部２０の高さを第一収容部１０の高さの１／４、１／２、１／１．５等と低くすることで、材料の使用量を低減できる。
【００８５】
第一実施形態と第二変形例で平坦部１１１として平坦に形成された起立部は、図５と図１２等に示す一つの平らな領域に構成される場合に限らず、載置面に当たる面を複数備えて構成されてもよい。
【００８６】
（第三変形例）
脚部２０は、下端側が上端側より外側へずれて配置することで傾斜して、容器本体２や蓋体５を備えた包装用容器１が載置面に倒れることを防止できる。脚部２０の傾斜した角度を変えて、下端が第一収容部１０から離れることで、容器本体２等が起立した姿勢の安定性が向上する。図１３は第三変形例の包装用容器１Ｃの端面図であり、包装用容器１Ｃは、第一実施形態の包装用容器１と異なり、脚部２０が載置面に垂直に立つように形成されている。図中の一点鎖線がドーナツ、二点鎖線が載置面を表している。
【００８７】
図１３では脚部２０の第一収容部１０の左方と右方に配置される左脚部２１３と右脚部２１４とが表されている。前脚部２１１と後脚部２１２は、左脚部２１３と右脚部２１４と同様に、載置面に垂直に立つように構成されてもよい。
【００８８】
（第四変形例）
図１４に示す第四変形例の包装用容器１Ｄは、容器本体２の容器側部１２０が分離可能に構成されていて、第一収容部１０の深さを変えることができる。容器側部１２０は、底部１１０につながる下側と第１開口１０Ａに隣接する上側との間に分割部１５０を備えている。分割部１５０として、容器側部１２０は底部１１０から第１開口１０Ａまでのスペースを囲うように切れ込みが破線状に入れられている。図では、一点鎖線が容器側部１２０を示し、破線が切れ目を表している。
【００８９】
容器側部１２０の切れ目と切れ目との間のつながり部分を切断して、容器側部１２０の上側を底部側から分離する。容器本体２の深さを変えることで、食べて小さくなったドーナツを手で容器本体２から取り出さずに、最後まで食べることができる。なお、分割部１５０は、容器側部１２０を貫通した深い切れ目に限らず、厚みを薄くして脆弱に構成する他、それらの組み合わせでもよい。容器側部１２０に設けられる分割部１５０の数は図示例の１つに限定されるものではない。容器側部１２０が分割部１５０を複数備えることで、段階的に容器側部１２０を上側から切除して、必要量のドーナツを容器本体２の第１開口１０Ａから外に出すことができる。
【００９０】
（その他）
上記の実施形態の構成において、容器本体２の脚部２０と第一収容部１０との間を狭くして、指を十分に入れるスペースを省くと、包装用容器を小型にすることができる。
【００９１】
容器本体と蓋体の寸法は図示例に限定されるものではない。また、容器本体と蓋体とは、上記の説明例のようにドーナツ上側とドーナツ下側をドーナツを縦方向に二分したサイズに対応させた場合に限らず、蓋体で収容するドーナツ上側を小さく、或いは大きくして、容器本体と蓋体の寸法、例えば高さを異なるように構成してもよい。
【００９２】
包装用容器の収容物として、ドーナツに代えて、掴むことができるベーグルや円板状のパンなどの平板状の食品を、上記で説明した包装用容器で収容することができる。
【符号の説明】
【００９３】
１，１Ａ，１Ｂ，１Ｃ，１Ｄ  包装用容器
２  容器本体
５  蓋体
１０  第一収容部
１０Ａ  第一開口
２０  脚部
２５  凹部
３０  第二収容部
３０Ａ  第二開口
３５  凸部
４０  取付部
６０  カウンター
７０  コーヒーメーカー
１１０  底部
１１１  平坦部
１２０  容器側部
１２１  容器前部
１２２  容器後部
１２３  容器左部
１２４  容器右部
１３０  容器上端部
１５０  分割部
２１１  前脚部
２１１Ａ  突出部
２１２  後脚部
２１３  左脚部
２１４  右脚部
３１０  閉塞部
３２０  蓋側部
３２１  蓋前部
３２２  蓋後部
３２３  蓋左部
３２４  蓋右部
３３０  蓋下端部
３４０  折曲部
【図１】
0003215659.tif 000003
【図２】
0003215659.tif 000004
【図３】
0003215659.tif 000005
【図４】
0003215659.tif 000006
【図５】
0003215659.tif 000007
【図６】
0003215659.tif 000008
【図７】
0003215659.tif 000009
【図８】
0003215659.tif 000010
【図９】
0003215659.tif 000011
【図１０】
0003215659.tif 000012
【図１１】
0003215659.tif 000013
【図１２】
0003215659.tif 000014
【図１３】
0003215659.tif 000015
【図１４】
0003215659.tif 000016